(57)【要約】  冷凍装置は、熱源用熱媒体が流通し、圧縮機、熱源用熱交換器、膨張部、及び、熱源用熱媒体と負荷用熱媒体との間で熱交換を行うカスケード熱交換器が配管により接続された熱源熱媒体回路と、負荷用熱媒体が流通し、負荷用熱媒体を搬送するポンプ、負荷用熱交換器、及びカスケード熱交換器が配管により接続された負荷熱媒体回路と、を有し、熱源用熱媒体及び負荷用熱媒体のうち少なくとも一方が、ＨＦＯ１１２３を含む冷媒である。
2015140872.tif 000002
【特許請求の範囲】
【請求項１】
熱源用熱媒体が流通し、圧縮機、熱源用熱交換器、膨張部、及び、前記熱源用熱媒体と負荷用熱媒体との間で熱交換を行うカスケード熱交換器が配管により接続された熱源熱媒体回路と、
前記負荷用熱媒体が流通し、前記負荷用熱媒体を搬送するポンプ、負荷用熱交換器、及び前記カスケード熱交換器が配管により接続された負荷熱媒体回路と、を有し、
前記熱源用熱媒体及び前記負荷用熱媒体のうち少なくとも一方が、ＨＦＯ１１２３を含む冷媒である
冷凍装置。
【請求項２】
前記熱源用熱媒体と前記負荷用熱媒体とは、
前記カスケード熱交換器における流通方向が対向流である
請求項１記載の冷凍装置。
【請求項３】
前記熱源用熱媒体が、ＨＦＯ１１２３を含む冷媒であり、
前記負荷用熱媒体が、水である
請求項１又は２記載の冷凍装置。
【請求項４】
前記熱源用熱媒体が、ＨＦＯ１１２３を含む冷媒であり、
前記負荷用熱媒体が、不凍液である
請求項１又は２記載の冷凍装置。
【発明の詳細な説明】
【技術分野】
【０００１】
本発明は、複数の熱媒体回路が多段構成された冷凍装置に関する。
【背景技術】
【０００２】
従来より、例えば、熱源熱媒体回路と、負荷用熱媒体回路とが多段構成された冷凍装置が提案されている。このような多段構成の冷凍装置は、熱源熱媒体回路又は負荷用熱媒体回路における熱媒体として、例えば冷媒又は水等が使用されている。特許文献１には、熱源熱媒体回路である高温側循環回路に流通する熱媒体がＨＦＯ１２３４ｙｆであり、負荷用熱媒体回路である低温側循環回路に流通する熱媒体が二酸化炭素である冷凍サイクル装置が開示されている。
【先行技術文献】
【特許文献】
【０００３】
【特許文献１】特開２０１３−３６７０６号公報（第４頁）
【発明の概要】
【発明が解決しようとする課題】
【０００４】
特許文献１に開示されている冷凍サイクル装置は、高温側循環回路に流通する熱媒体として、ＨＦＯ１２３４ｙｆが使用されている。このＨＦＯ１２３４ｙｆは、沸点が高い高沸点冷媒であるため、ガス化し難く、動作圧力におけるガス密度が小さい。このため、高温側循環回路における配管内の圧力損失が増大して、冷媒の搬送動力（圧縮機の消費電力）が増大する虞がある。また、特許文献１に開示されている冷凍サイクル装置は、低温側循環回路に流通する熱媒体として、二酸化炭素が使用されている。この二酸化炭素冷媒は、フロン系冷媒に比べて動作圧力が高い。これにより、低温側循環回路内が高圧となるため、配管の強度を向上させる必要があり、そのための費用がかさむ虞がある。【０００５】
本発明は、上記のような課題を背景としてなされたもので、消費電力を抑え、且つコストを抑えた冷凍装置を提供するものである。
【課題を解決するための手段】
【０００６】
本発明に係る冷凍装置は、熱源用熱媒体が流通し、圧縮機、熱源用熱交換器、膨張部、及び、熱源用熱媒体と負荷用熱媒体との間で熱交換を行うカスケード熱交換器が配管により接続された熱源熱媒体回路と、負荷用熱媒体が流通し、負荷用熱媒体を搬送するポンプ、負荷用熱交換器、及びカスケード熱交換器が配管により接続された負荷熱媒体回路と、を有し、熱源用熱媒体及び負荷用熱媒体のうち少なくとも一方が、ＨＦＯ１１２３を含む冷媒である。
【発明の効果】
【０００７】
本発明によれば、熱源用熱媒体及び負荷用熱媒体のうち少なくとも一方が、ＨＦＯ１１２３を含む冷媒であるため、エネルギ消費量を削減することができ、また、コスト低減を図ることができる。
【図面の簡単な説明】
【０００８】
【図１】実施の形態１に係る冷凍装置１を示す熱媒体回路図である。
【図２】実施の形態１に係る冷凍装置１の作用を示すグラフである。
【図３】比較例１に係る冷凍装置の作用を示すグラフである。
【図４】実施の形態１の変形例に係る冷凍装置１００の作用を示すグラフである。
【図５】比較例２に係る冷凍装置の作用を示すグラフである。
【発明を実施するための形態】
【０００９】
以下、本発明に係る冷凍装置の実施の形態について、図面を参照しながら説明する。なお、以下に説明する実施の形態によって本発明が限定されるものではない。また、図１を含め、以下の図面では各構成部材の大きさの関係が実際のものとは異なる場合がある。
【００１０】
実施の形態１．
図１は、実施の形態１に係る冷凍装置１を示す熱媒体回路図である。この図１に基づいて、冷凍装置１について説明する。図１に示すように、冷凍装置１は、熱源側の熱源熱媒体回路２と、負荷側の負荷熱媒体回路３とを備えており、これらがカスケード熱交換器７で接続された二段構成の冷凍装置１である。なお、冷凍装置１は、二段構成されたものに限らず、多段構成としてもよい。
【００１１】
熱源熱媒体回路２は、熱源用熱媒体が流通し、圧縮機２１、熱源用熱交換器２２、膨張部２３、及びカスケード熱交換器７が配管により接続されたものである。熱源用熱媒体は、ＨＦＯ１１２３を含む冷媒である。そして、圧縮機２１は、この熱源用熱媒体を圧縮するものであり、熱源用熱交換器２２は、熱源用熱媒体と、例えば室外空気とを熱交換するものである。ここで、熱源熱媒体回路２には、熱源用送風機２２ａが設けられており、この熱源用送風機２２ａは、室外空気を熱源用熱交換器２２に送風するものである。また、膨張部２３は、熱源用熱媒体を膨張するものである。なお、熱源用熱媒体は、ＨＦＯ１１２３のみの単一冷媒としてもよいし、ＨＦＯ１１２３を含む混合冷媒としてもよい。
【００１２】
負荷熱媒体回路３は、負荷用熱媒体が流通し、ポンプ３１、負荷用熱交換器３２、カスケード熱交換器７が配管により接続されたものである。負荷用熱媒体は、熱源用熱媒体と同様に、ＨＦＯ１１２３を含む冷媒である。そして、ポンプ３１は、負荷用熱媒体を搬送するものであり、負荷用熱交換器３２は、負荷用熱媒体と、例えば室内空気とを熱交換するものである。ここで、負荷熱媒体回路３には、負荷用送風機３２ａが設けられており、この負荷用送風機３２ａは、室内空気を負荷用熱交換器３２に送風するものである。なお、負荷用熱媒体は、ＨＦＯ１１２３のみの単一冷媒としてもよいし、ＨＦＯ１１２３を含む混合冷媒としてもよい。また、負荷用熱媒体は、そのほかに、水としてもよいし、不凍液としてもよい。
【００１３】
なお、熱源熱媒体回路２と、負荷熱媒体回路３におけるポンプ３１とは、室外空間４に設置されており、負荷熱媒体回路３における負荷用熱交換器３２は、室内空間５に設置されている。そして、ポンプ３１と負荷用熱交換器３２とは、第１の延長配管６ａで接続されている。また、熱源熱媒体回路２と負荷熱媒体回路３とを接続するカスケード熱交換器７と、負荷用熱交換器３２とは、第２の延長配管６ｂで接続されている。
【００１４】
カスケード熱交換器７は、前述の如く、熱源熱媒体回路２と負荷熱媒体回路３とを接続するものであり、例えばプレート熱交換器又は二重管熱交換器等で構成されている。そして、このカスケード熱交換器７は、熱源熱媒体回路２を流通する熱源用熱媒体と、負荷熱媒体回路３を流通する負荷用熱媒体との間で熱交換を行うものである。このように、カスケード熱交換器７によって二段構成された冷凍装置１は、熱源用熱媒体と負荷用熱媒体との間で熱交換が行われ、これにより、夫々独立した熱源熱媒体回路２及び負荷熱媒体回路３を、連携して制御することが可能である。
【００１５】
次に、本実施の形態１に係る冷凍装置１の動作について説明する。なお、本実施の形態１においては、一例として、冷房運転における動作について説明する。
【００１６】
先ず、熱源熱媒体回路２における動作について説明する。圧縮機２１は、熱源用熱媒体を吸入し、この熱源用熱媒体を圧縮して高温高圧のガスの状態で吐出する。この吐出された熱源用熱媒体は、熱源用熱交換器２２に流入し、熱源用熱交換器２２は、熱源用送風機２２ａから供給される室外空気との熱交換により、熱源用熱媒体を凝縮する。この凝縮された熱源用熱媒体は、膨張部２３に流入し、膨張部２３は、凝縮された熱源用熱媒体を減圧する。そして、減圧された熱源用熱媒体は、カスケード熱交換器７に流入し、カスケード熱交換器７は、負荷熱媒体回路３における負荷用熱媒体との熱交換により、熱源用熱媒体を蒸発する。そして、蒸発された熱源用熱媒体は、圧縮機２１に吸入される。
【００１７】
次に、負荷熱媒体回路３における動作について説明する。ポンプ３１は、負荷用熱媒体を搬送し、搬送された負荷用熱媒体は、負荷用熱交換器３２に流入する。負荷用熱交換器３２は、負荷用送風機３２ａから供給される室内空気との熱交換により、負荷用熱媒体を蒸発する。この蒸発された負荷用熱媒体は、カスケード熱交換器７に流入し、カスケード熱交換器７は、熱源熱媒体回路２における熱源用熱媒体との熱交換により、負荷用熱媒体を凝縮する。そして凝縮液化された負荷用熱媒体は、ポンプ３１に流入する。
【００１８】
このように、本実施の形態１において、熱源用熱媒体と負荷用熱媒体とは、カスケード熱交換器７における流通方向が対向流である。
【００１９】
次に、本実施の形態１に係る冷凍装置１の作用について説明する。本実施の形態１では、上記のとおり、熱源用熱媒体及び負荷用熱媒体として、ＨＦＯ１１２３を含む冷媒が使用されている。このＨＦＯ１１２３は、そのガス密度が、ＨＦＯ１２３４ｙｆのガス密度よりも２５％程度高い。このため、熱媒体が循環する量が同一の熱媒体回路においては、熱媒体としてＨＦＯ１１２３を用いることによって、ＨＦＯ１２３４ｙｆを用いるよりも、流通する流速が遅くなり、これにより、熱媒体回路における配管の圧力損失を低減することができる。
【００２０】
このように、本実施の形態１は、熱源用熱媒体及び負荷用熱媒体として、ＨＦＯ１１２３を含む冷媒が使用されているため、熱源熱媒体回路２及び負荷熱媒体回路３における配管の圧力損失を低減することができる。従って、圧縮機２１及びポンプ３１の搬送動力を抑えることができ、これにより、エネルギ消費量を抑制することができる。
【００２１】
また、ＨＦＯ１１２３の標準沸点は、−５１℃であり、二酸化炭素は、−７８℃である。このため、熱媒体の蒸発温度が同一の熱媒体回路においては、熱媒体としてＨＦＯ１１２３を用いることによって、二酸化炭素を用いるよりも、低い圧力で運転させることができる。このため、熱媒体回路における配管の耐圧性を過剰に向上させる必要がない。
【００２２】
このように、本実施の形態１は、熱源用熱媒体及び負荷用熱媒体として、ＨＦＯ１１２３を含む冷媒が使用されているため、熱源熱媒体回路２及び負荷熱媒体回路３における配管等の要素機器の耐圧性を抑えることができる。このため、冷凍装置１を製造するコストを削減することができる。
【００２３】
なお、本実施の形態１では、熱源用熱媒体及び負荷用熱媒体のいずれも、ＨＦＯ１１２３を含む冷媒としたが、熱源用熱媒体及び負荷用熱媒体のうち少なくとも一方が、ＨＦＯ１１２３を含む冷媒であればよい。この場合、ＨＦＯ１１２３を含む冷媒が使用された熱源熱媒体回路２又は負荷熱媒体回路３のいずれかにおいて、上記のエネルギ消費量の低減及びコストの削減という効果を奏する。
【００２４】
また、本実施の形態１では、負荷熱媒体回路３における負荷用熱交換器３２及びカスケード熱交換器７において、熱伝達率の良好な相変化熱伝達を利用しているため、熱交換性能が向上する。このため、これらの負荷用熱交換器３２及びカスケード熱交換器７の小型化を図ることができる。
【００２５】
更に、本実施の形態１では、熱源用熱媒体と負荷用熱媒体とは、カスケード熱交換器７における流通方向が対向流である。図２は、実施の形態１に係る冷凍装置１の作用を示すグラフであり、図３は、比較例１に係る冷凍装置の作用を示すグラフである。本実施の形態１に係る流通方向が対向流である冷凍装置１（図２）の作用を、カスケード熱交換器７における流通方向が並行流である比較例１（図３）と比較して説明する。なお、熱源用熱媒体及び負荷用熱媒体は、いずれも、ＨＦＯ１１２３のみの単一冷媒である。
【００２６】
図２、図３において、横軸は熱媒体が流通する流れ方向を示し、縦軸は熱媒体の温度を示す。カスケード熱交換器７における流通方向が対向流である場合、図２に示すように、熱源用熱媒体の温度と負荷用熱媒体の温度との温度差ΔＴｆが、流れ方向において、均一である。従って、カスケード熱交換器７における熱交換性能が高い。これに対し、カスケード熱交換器７における流通方向が並行流である比較例１の場合、図３に示すように、熱源用熱媒体の温度と負荷用熱媒体の温度との温度差ΔＴｐが、流れ方向において、不均一である。このため、カスケード熱交換器７における熱交換性能が低い。
【００２７】
以上のとおり、本実施の形態１は、熱源用熱媒体と負荷用熱媒体とは、カスケード熱交換器７における流通方向が対向流であるため、カスケード熱交換器７における熱交換性能が高い。このため、カスケード熱交換器７の小型化を図ることができる。
【００２８】
（変形例）
次に、本実施の形態１の変形例について説明する。変形例では、熱源用熱媒体及び負荷用熱媒体が、いずれも、ＨＦＯ１１２３を含む混合冷媒である点で実施の形態１と相違し、それ以外は実施の形態１と共通する。即ち、変形例においても、熱源用熱媒体と負荷用熱媒体とは、カスケード熱交換器７における流通方向が対向流である。図４は、実施の形態１の変形例に係る冷凍装置１００の作用を示すグラフであり、図５は、比較例２に係る冷凍装置の作用を示すグラフである。変形例に係るカスケード熱交換器７における流通方向が対向流である冷凍装置１００（図４）の作用を、カスケード熱交換器７における流通方向が並行流である比較例２（図５）と比較して説明する。
【００２９】
変形例では、前述の如く、熱源用熱媒体及び負荷用熱媒体のいずれも、ＨＦＯ１１２３を含む混合冷媒である。ＨＦＯ１１２３に添加する冷媒は、例えばＲ３２冷媒である。ＨＦＯ１１２３とＲ３２冷媒との混合冷媒は、夫々沸点が異なるため、非共沸混合冷媒となる。この非共沸混合冷媒は、熱源熱媒体回路１０２及び負荷熱媒体回路１０３における熱媒体の流れ方向に対し、温度勾配が生じる。このため、単一冷媒よりも、熱源用熱媒体の温度と負荷用熱媒体の温度との温度差が、流れ方向において、不均一になり易い。
【００３０】
図４、図５において、横軸は熱媒体が流通する流れ方向を示し、縦軸は熱媒体の温度を示す。カスケード熱交換器７における流通方向が対向流である場合、図４に示すように、熱源用熱媒体の温度と負荷用熱媒体の温度との温度差ΔＴｆが、流れ方向において、均一である。従って、カスケード熱交換器７における熱交換性能が高い。これに対し、カスケード熱交換器７における流通方向が並行流である比較例２の場合、図５に示すように、熱源用熱媒体の温度と負荷用熱媒体の温度との温度差ΔＴｐが、流れ方向において、不均一である。このため、カスケード熱交換器７における熱交換性能が低い。
【００３１】
以上のとおり、変形例では、熱源用熱媒体と負荷用熱媒体とは、カスケード熱交換器７における流通方向が対向流であるため、熱源用熱媒体及び負荷用熱媒体のいずれもが、ＨＦＯ１１２３を含む混合冷媒であっても、カスケード熱交換器７における熱交換性能が高い。このため、この変形例においても、カスケード熱交換器７の小型化を図ることができる。
【符号の説明】
【００３２】
１  冷凍装置、２  熱源熱媒体回路、３  負荷熱媒体回路、４  室外空間、５  室内空間、６ａ  第１の延長配管、６ｂ  第２の延長配管、７  カスケード熱交換器、２１  圧縮機、２２  熱源用熱交換器、２２ａ  熱源用送風機、２３  膨張部、３１  ポンプ、３２  負荷用熱交換器、３２ａ  負荷用送風機、１００  冷凍装置、１０２  熱源熱媒体回路、１０３  負荷熱媒体回路。
【図１】
2015140872.tif 000003
【図２】
2015140872.tif 000004
【図３】
2015140872.tif 000005
【図４】
2015140872.tif 000006
【図５】
2015140872.tif 000007
【手続補正書】
【提出日】平成28年8月26日(2016.8.26)
【手続補正１】
【補正対象書類名】明細書
【補正対象項目名】０００６
【補正方法】変更
【補正の内容】
【０００６】
本発明に係る冷凍装置は、熱源用熱媒体が流通し、圧縮機、熱源用熱交換器、膨張部、及び、前記熱源用熱媒体と負荷用熱媒体との間で熱交換を行うカスケード熱交換器が配管により接続された熱源熱媒体回路と、前記負荷用熱媒体が流通し、前記負荷用熱媒体を搬送するポンプ、負荷用熱交換器、及び前記カスケード熱交換器が配管により接続された負荷熱媒体回路と、を有し、前記熱源用熱媒体及び前記負荷用熱媒体の両方が、ＨＦＯ１１２３を含む非共沸混合冷媒である。
【手続補正２】
【補正対象書類名】特許請求の範囲
【補正対象項目名】全文
【補正方法】変更
【補正の内容】
【特許請求の範囲】
【請求項１】
熱源用熱媒体が流通し、圧縮機、熱源用熱交換器、膨張部、及び、前記熱源用熱媒体と負荷用熱媒体との間で熱交換を行うカスケード熱交換器が配管により接続された熱源熱媒体回路と、
前記負荷用熱媒体が流通し、前記負荷用熱媒体を搬送するポンプ、負荷用熱交換器、及び前記カスケード熱交換器が配管により接続された負荷熱媒体回路と、を有し、
前記熱源用熱媒体及び前記負荷用熱媒体の両方が、ＨＦＯ１１２３を含む非共沸混合冷媒である
冷凍装置。
【請求項２】
前記熱源用熱媒体と前記負荷用熱媒体とは、
前記カスケード熱交換器における流通方向が対向流である
請求項１記載の冷凍装置。
【国際調査報告】
2015140872.tif 000008
2015140872.tif 000009